【手続補正書】
【提出日】平成20年1月23日(2008.1.23)
【手続補正１】
【補正対象書類名】特許請求の範囲
【補正対象項目名】全文
【補正方法】変更
【補正の内容】
【特許請求の範囲】
【請求項１】
ＩＰ網を通して伝送される制御信号を受信する受信部と、
前記受信部で受信した一の形態の制御信号を他の形態の制御信号に変換する信号形態変換部と、
前記他の形態の制御信号を制御対象機器に供給する制御信号供給部と、
所定の給電端に適合するインレット型接続器と、
前記インレット型接続器により受電した電力を、前記受信部、前記信号形態変換部、及び前記制御信号供給部の少なくともいずれか１つに供給する電源回路部と、
を備えたことを特徴とする遠隔制御アダプタ装置。
【請求項２】
前記制御対象機器に給電するに適合するアウトレット型接続器と、
このアウトレット型接続器と前記インレット型接続器との間を結ぶ導体部と、
を備えたことを特徴とする請求項１に記載の遠隔制御アダプタ装置。
【請求項３】
前記導体部を流れる電流を検出する電流検出部を備えたことを特徴とする請求項２に記載の遠隔制御アダプタ装置。
【請求項４】
前記電流検出部による検出出力に基づくデータを前記ＩＰ網を利用して当該制御信号の発信元側から取得可能に送信するデータ送信部を備えたことを特徴とする請求項３に記載の遠隔制御アダプタ装置。
【請求項５】
前記データ送信部は、前記電流検出部による検出出力に基づいて前記制御対象機器の動作モードを表す動作モードデータを生成し、前記動作モードデータを、前記ＩＰ網を利用して前記制御信号の発信元に送信するように構成されていることを特徴とする請求項４に記載の遠隔制御アダプタ装置。
【請求項６】
前記受信部は、前記ＩＰ網における無線ＩＰ網を利用して伝送される前記制御信号を受信可能に構成されていることを特徴とする請求項１に記載の遠隔制御アダプタ装置。
【請求項７】
前記データ送信部は、前記ＩＰ網における無線ＩＰ網を利用して前記電流検出部による検出出力に基づくデータを送信可能に構成されていることを特徴とする請求項４〜５の何れか一項に記載の遠隔制御アダプタ装置。
【請求項８】
前記信号形態変換部は、前記他の形態の制御信号として、遠隔制御信号のコード体系に準拠した形態の制御信号に変換するように構成されていることを特徴とする請求項１に記載の遠隔制御アダプタ装置。
【請求項９】
前記信号形態変換部は、前記他の形態の制御信号として、赤外線データ通信方式のコード体系に準拠した形態の制御信号に変換するように構成され、
前記制御信号供給部は前記信号形態変換部の出力信号に対応した赤外光による制御信号を前記制御対象機器の赤外線制御信号受光部に供給するように構成されていることを特徴とする請求項１に記載の遠隔制御アダプタ装置。
【請求項１０】
前記信号形態変換部は、前記他の形態の制御信号として、赤外線データ通信方式のコード体系に準拠した形態の制御信号に変換するように構成され、
前記制御信号供給部は前記信号形態変換部の出力信号に対応した赤外光による制御信号を導光用光ファイバーによって前記制御対象機器の赤外線制御信号受光部に供給するように構成されていることを特徴とする請求項１に記載の遠隔制御アダプタ装置。
【請求項１１】
前記信号形態変換部は、前記他の形態の制御信号として、赤外線データ通信方式のコード体系に準拠した形態の制御信号に変換するように構成され、
前記制御信号供給部は前記信号形態変換部の出力信号に対応した赤外光発光素子駆動信号を前記制御対象機器の赤外線制御信号受光部近傍位置に配される赤外光発光素子に屈曲容易な導線を通して供給し前記赤外光発光素子を発光させるように構成されていることを特徴とする請求項１に記載の遠隔制御アダプタ装置。
【請求項１２】
前記信号形態変換部は、前記一の形態の制御信号を前記他の形態の制御信号に変換するための変換テーブルデータを、予め前記受信部を介して前記ＩＰ網から取得し、前記取得した変換テーブルデータに依拠して前記変換を実行するように構成されていることを特徴とする請求項１に記載の遠隔制御アダプタ装置。
【請求項１３】
前記受信部、前記信号形態変換部、前記制御信号供給部、前記電源回路部、前記電流検出部、およびデータ送信部を所定位置に収納して保持する本体構造部を設け、
前記本体構造部は、前記インレット型接続器の先端側の部分が前記給電端に対向する端部側から突出するように前記インレット型接続器の基部側を支持すると共に、前記端部とは反対側の端部側には接続用開口部が形成され、前記接続用開口部の内部に前記インレット型接続器と前記導体部で結ばれた前記アウトレット型接続器が備えられていることを特徴とする請求項１に記載の遠隔制御アダプタ装置。
【請求項１４】
前記本体構造部内に支持された前記インレット型接続器の基部側は、前記本体構造部の前記接続用開口部内部の前記アウトレット型接続器として機能するように成形されていることを特徴とする請求項１３に記載の遠隔制御アダプタ装置。
【手続補正２】
【補正対象書類名】明細書
【補正対象項目名】０００１
【補正方法】変更
【補正の内容】
【０００１】
本発明は、ＩＰ網を通して伝送される制御信号によって被制御装置としての例えばテレビジョン受像機等を制御する装置に関し、特に、ＩＰ網を通して伝送される制御信号によって直接的に制御可能な機能が搭載されていない機器をもこのような制御信号によって制御することを可能ならしめる遠隔制御アダプタ装置に関する。
【手続補正３】
【補正対象書類名】明細書
【補正対象項目名】０００３
【補正方法】変更
【補正の内容】
【０００３】
このような背景にあって、ＩＰ網から家庭内の所謂非情報家電製品をもコントロールするという長年の課題に関する具体的解決方法が一段と切望されるところとなっている。
ところで、従来リモートコントロールには非対応であった家電製品をもその電源のオンオフを無線によって制御することができるようにする無線機器制御アダプタが提案されている。この提案による具体例の一つは電源の給電に用いるマルチコンセントの中に無線機器制御アダプタを内蔵して、遠隔操作端末から無線によってこの無線機器制御アダプタに操作信号を送り、マルチコンセントからの給電をオンオフ制御するというものである（特許文献１参照）。
【手続補正４】
【補正対象書類名】明細書
【補正対象項目名】０００８
【補正方法】変更
【補正の内容】
【０００８】
更に、特許文献３に提案の技術は、ＡＣ電源側のコンセント或いはテーブルタップで負荷電流を検出しパーソナルコンピュータで所謂テレメータリングの様な監視を可能にするものではあるが、これも、ＩＰ網から家庭内の所謂非情報家電製品をもコントロールするといった課題認識がなく、当然ながらその解決手段を何等提案するものでもない。
本発明は、上述したような従来技術における課題に着目してなされたものであり、ＩＰ網から所謂ＩＰ網非対応の機器をもリモートコントロールすることを可能にする遠隔制御アダプタ装置を提供することを目的としている。
【手続補正５】
【補正対象書類名】明細書
【補正対象項目名】００５４
【補正方法】変更
【補正の内容】
【００５４】
一方、信号形態変換部（マイクロプロセッサ１２２）については、受信部で受信した一の形態の制御信号を制御対象機器で取り扱い可能な他の形態の制御信号に変換するための変換テーブルデータを、予め前記受信部を介してＩＰ網３００経由で取得し、該取得した変換テーブルデータに依拠して当該変換を実行するように構成してもよい。
この場合は、ＩＰ網から取得した変換テーブルデータに依拠して、その制御信号は当該制御対象機器側で取り扱い可能な形態へと変換されるため、この制御対象機器をＩＰ網経由で適正に制御することができるようになる。また、変換されるべき制御信号の形態に係る対応関係に変更が生じた場合等においても比較的柔軟にこのような変更に応じることが可能である。